(57)【要約】【課題】光センサに付着した塵埃をカールしたシートであると誤判断することを少なくする。【解決手段】シート積載装置は、原稿有無判定部が、検知値が原稿有り判定閾値を超えているとき、原稿積載トレイ３０に原稿Ｄが積載されているものと判断する。そして、検知値が原稿有り判定閾値以下のとき、原稿検知センサ３０１が回転カムによって上昇して所定位置に到達する間に検知値がシート有り判定閾値を超えたとき、原稿積載トレイにシートが積載されているものと判断する。また、原稿検知センサが所定位置に到達しても検知値がシート有り判定閾値以下のとき、原稿積載トレイにシートが積載されていないものと判断する。【選択図】図４
2008056446.tif 000002
【特許請求の範囲】
【請求項１】
シート積載手段に積載されたシートの下面に光を照射してその反射光を受光する光センサによって前記シートの有無を検知するシート積載装置において、
前記シート積載手段に前記シートが積載されているときの前記光センサの出力値に基づいて設定されたシート有り判定閾値を記憶する記憶手段と、
前記光センサの出力に基づく検知値と前記シート有り判定閾値とを比較して、前記シート積載手段に前記シートが積載されているか否かの判断をする積載判断手段と、
前記検知値が前記シート有り判定閾値以下のとき、前記光センサを前記シートの下面に対して接近する方向に所定位置まで上昇させる駆動手段と、を備え、
前記積載判断手段が、
前記検知値が前記シート有り判定閾値を超えているとき、前記シート積載手段に前記シートが積載されているものと判断し、
前記検知値が前記シート有り判定閾値以下のとき、前記光センサが前記駆動手段によって上昇して前記所定位置に到達する間に前記検知値が前記シート有り判定閾値を超えたとき、前記シート積載手段に前記シートが積載されているものと判断し、
前記光センサが前記所定位置に到達しても前記検知値が前記シート有り判定閾値以下のとき、前記シート積載手段に前記シートが積載されていないものと判断する、
ことを特徴とするシート積載装置。
【請求項２】
前記記憶手段が、前記シート積載手段に前記シートが積載されていないときの前記光センサの出力値に基づいて設定されたシート無し判定閾値を記憶し、
前記駆動手段が、前記検知値が前記シート有り判定閾値以下で、かつシート無し判定閾値以上のとき、前記光センサを前記所定位置まで上昇させることが可能で、
前記積載判断手段が、
前記検知値が前記シート有り判定閾値未満のとき、前記シート積載手段に前記シートが積載されていないものと判断し、
前記検知値が前記シート有り判定閾値以下で、かつシート無し判定閾値以上のとき、前記光センサが前記駆動手段によって上昇して前記所定位置まで上昇する間に前記検知値が前記シート有り判定閾値を超えたとき、前記シート積載手段に前記シートが積載されているものと判断し、
前記光センサが前記所定位置に到達しても前記検知値が前記シート有り判定閾値未満のとき、前記シート積載手段に前記シートが積載されていないものと判断する、
ことを特徴とする請求項１に記載のシート積載装置。
【請求項３】
前記積載判断手段が、前記光センサの上昇によって、前記シートが前記シート積載手段に積載されているものと判断した場合、前記記憶手段に記憶されている前記シート有り判定閾値と前記シート無し判定閾値との少なくとも前記シート有り判定閾値を減少させる、
ことを特徴とする請求項２に記載のシート積載装置。
【請求項４】
前記積載判断手段が、前記光センサが所定位置まで上昇しても、前記シート積載手段に前記シートが積載されていないものと判断した場合、前記記憶手段に記憶されている前記シート有り判定閾値と前記シート無し判定閾値との少なくとも前記シート有り判定閾値を増加させる、
ことを特徴とする請求項２に記載のシート積載装置。
【請求項５】
前記光センサの発光量を設定する光量設定手段を備え、
前記積載判断手段が、前記光センサの上昇によって、前記シートが前記シート積載手段に積載されているものと判断した場合、前記光量設定手段によって前記発光量が増加設定される、
ことを特徴とする請求項２に記載のシート積載装置。
【請求項６】
前記光センサの発光量を設定する光量設定手段を備え、
前記積載判断手段が、前記光センサが所定位置まで上昇しても、前記シート積載手段に前記シートが積載されていないものと判断した場合、前記光量設定手段によって前記発光量が減少設定される、
ことを特徴とする請求項２に記載のシート積載装置。
【請求項７】
前記シート積載手段のシート搬送方向の下流側に設けられて通過するシートを検知する通過検知手段を備え
前記光センサの発光量を設定する光量設定手段と、
前記積載判断手段が、前記シート積載手段に前記シートが積載されていることを検知してから所定時間内に前記通過検知手段が前記シートを検知しないとき、前記判断を誤判断とし前記光量設定手段によって前記発光量が減少設定される、
ことを特徴とする請求項３乃至６のいずれか１項に記載のシート積載装置。
【請求項８】
前記シート積載手段が、前記シート積載手段から前記シートが給送されるシート給送端部に設けられて前記駆動手段によって上下動可能な上下動部を有し、
前記光センサが、前記上下動部に設けられ、
前記所定位置が、前記上下動部が前記シート積載手段に積載された前記シートを受け入れる受入部まで前記シートを上昇させる位置である、
ことを特徴とする請求項１乃至７のいずれか１項に記載のシート積載装置。
【請求項９】
シート積載手段に積載されたシートの下面に光を照射してその反射光を受光する光センサによって前記シートの有無を検知するシート積載装置において、
前記シート積載手段に前記シートが積載されているときの前記光センサの出力値に基づいて設定されたシート有り判定閾値を記憶する記憶手段と、
前記光センサの出力に基づく検知値と前記シート有り判定閾値とを比較して、前記シート積載手段に前記シートが積載されているか否かの判断をする積載判断手段と、
前記検知値が前記シート有り判定閾値以下のとき、前記光センサを前記シートの下面に対して接近する方向に所定位置まで上昇させる駆動手段と、を備え、
前記積載判断手段が、
前記検知値が前記シート有り判定閾値を超えているとき、前記シート積載手段に前記シートが積載されているものと判断し、
前記検知値が前記シート有り判定閾値以下のとき、前記光センサが前記駆動手段によって上昇して前記所定位置に到達する間に前記検知値が前記シート有り判定閾値を超えたとき、前記シート積載手段に前記シートが積載されているものと判断し、
前記光センサが前記所定位置に到達しても前記検知値が一定であるとき、前記シート積載手段に前記シートが積載されていないものと判断する、
ことを特徴とするシート積載装置。
【請求項１０】
画像が形成されたシートが積載されるシート積載装置と、
前記シートの画像を読み取る画像読取手段と、を備え、
前記シート積載装置が請求項１乃至９のいずれか１項に記載のシート積載装置である、
ことを特徴とする画像読取装置。
【発明の詳細な説明】
【技術分野】
【０００１】
本発明は、シート積載手段に積載されているシートを検知する光センサに塵埃が付着していても、その塵埃をシートであると誤検知することの少ないシート積載装置と、このシート積載装置から送り込まれてくるシートの画像を読み取る画像読取装置とに関する。
【背景技術】
【０００２】
従来、シート積載装置は、シートを取り扱うシート取扱装置の装置本体に備えられて、シート取扱装置の装置本体に送り込まれるシートが積載されるようになっている。シート取扱装置には、シートである原稿の画像を読み取る画像読取装置、シートに画像を形成する画像形成装置、シートに処理を施すシート処理装置等がある。
【０００３】
シート積載装置は、画像読取装置の装置本体に装備された場合、原稿が積載されるシート積載手段としての原稿台と、この原稿台に設置されて原稿台に原稿が積載されたか否かを検知する原稿検知センサとを備えている。原稿検知センサには、反射型センサが多く用いられている。
【０００４】
この反射型センサは、原稿台に積載された原稿に光を照射する発光素子と、原稿からの反射光を受光する受光素子とを有している。そして、シート処理装置は、受光素子の受光量が原稿有り判定閾値を超えているとき原稿台に原稿が積載されているものと判断するようになっている（特許文献１参照）。
【０００５】
【特許文献１】特開平４−６７１３５号公報
【発明の開示】
【発明が解決しようとする課題】
【０００６】
しかし、従来のシート積載装置は、カールした原稿が原稿台に積載された場合、原稿と原稿検知センサとの間隔が開いて、発光素子からの光が原稿で反射して受光素子に届く光量が少なくなる。このため、原稿が積載されたとしても、受光素子の出力レベルが原稿有り判定閾値を超えないことがあり、シート積載装置は、原稿が積載されていないと誤判断することがある。
【０００７】
そこで、原稿有り判定閾値を小さくして、カールした原稿を検知できるようにすることが考えられる。しかし、原稿検知センサに付着した紙紛、ごみ、汚れ等の塵埃によっても、光が反射され、その反射光を受光した受光素子の出力レベルが変更した上記原稿有り判定閾値に近い値になることがある。このような場合、従来のシート積載装置は、原稿検知センサに付着した塵埃を原稿台に積載されたカールした原稿であると誤判断することがあり、シートの積載判断精度が低いという問題があった。
【０００８】
そこで、原稿有り判定閾値を上記小さい原稿有り判定閾値程、小さくしないで、塵埃を原稿であると誤判断しないようにすることが考えられる。しかし、この場合、大きくカールした原稿を検知することができない。
【０００９】
また、シートの積載判断精度が低いシート積載装置を備えた画像読取装置は、画像読取効率が悪かった。
【００１０】
本発明は、光センサに付着した塵埃をカールしたシートであると誤判断することを少なくして、シートの積載判断精度を高めたシート積載装置を提供することにある。
【００１１】
本発明は、シートの積載判断精度を高めたシート積載装置を備えて、画像読取効率を向上された画像読取装置を提供することにある。
【課題を解決するための手段】
【００１２】
本発明のシート積載装置は、シート積載手段に積載されたシートの下面に光を照射してその反射光を受光する光センサによって前記シートの有無を検知するようになっており、前記シート積載手段に前記シートが積載されているときの前記光センサの出力値に基づいて設定されたシート有り判定閾値を記憶する記憶手段と、前記光センサの出力に基づく検知値と前記シート有り判定閾値とを比較して、前記シート積載手段に前記シートが積載されているか否かの判断をする積載判断手段と、前記検知値が前記シート有り判定閾値以下のとき、前記光センサを前記シートの下面に対して接近する方向に所定位置まで上昇させる駆動手段と、を備え、前記積載判断手段が、前記検知値が前記シート有り判定閾値を超えているとき、前記シート積載手段に前記シートが積載されているものと判断し、前記検知値が前記シート有り判定閾値以下のとき、前記光センサが前記駆動手段によって上昇して前記所定位置に到達する間に前記検知値が前記シート有り判定閾値を超えたとき、前記シート積載手段に前記シートが積載されているものと判断し、前記光センサが前記所定位置に到達しても前記検知値が前記シート有り判定閾値以下のとき、前記シート積載手段に前記シートが積載されていないものと判断する、ことを特徴としている。
【００１３】
本発明のシート積載装置は、シート積載手段に積載されたシートの下面に光を照射してその反射光を受光する光センサによって前記シートの有無を検知するようになっており、前記シート積載手段に前記シートが積載されているときの前記光センサの出力値に基づいて設定されたシート有り判定閾値を記憶する記憶手段と、前記光センサの出力に基づく検知値と前記シート有り判定閾値とを比較して、前記シート積載手段に前記シートが積載されているか否かの判断をする積載判断手段と、前記検知値が前記シート有り判定閾値以下のとき、前記光センサを前記シートの下面に対して接近する方向に所定位置まで上昇させる駆動手段と、を備え、前記積載判断手段が、前記検知値が前記シート有り判定閾値を超えているとき、前記シート積載手段に前記シートが積載されているものと判断し、前記検知値が前記シート有り判定閾値以下のとき、前記光センサが前記駆動手段によって上昇して前記所定位置に到達する間に前記検知値が前記シート有り判定閾値を超えたとき、前記シート積載手段に前記シートが積載されているものと判断し、前記光センサが前記所定位置に到達しても前記検知値が一定であるとき、前記シート積載手段に前記シートが積載されていないものと判断する、ことを特徴としている。
【００１４】
本発明の画像読取装置は、画像が形成されたシートが積載されるシート積載装置と、前記シートの画像を読み取る画像読取手段と、を備え、前記シート積載装置が上記いずれか一方のシート積載装置である、ことを特徴としている。
【発明の効果】
【００１５】
本発明のシート積載装置は、積載判断手段が、検知値がシート有り判定閾値以下のとき、光センサが所定位置に到達する間に検知値がシート有り判定閾値を超えたとき、シート積載手段にシートが積載されているものと判断するようになっている。また、光センサが所定位置に到達しても検知値がシート有り判定閾値以下のとき、シート積載手段にシートが積載されていないものと判断するようになっている。
【００１６】
このため、本発明のシート積載装置は、シート有り判定閾値を、検知センサに塵埃が付着したときの検知値よりも大きく設定して、検知センサに付着した塵埃をカールしたシートであると誤判断をすることを少なくし、シートの積載判断精度を高めることができる。
【００１７】
本発明のシート積載装置は、積載判断手段が、検知値がシート有り判定閾値以下のとき、光センサが所定位置に到達する間に検知値がシート有り判定閾値を超えたとき、シート積載手段にシートが積載されているものと判断するようになっている。また、光センサが所定位置に到達しても検知値が一定であるときの検知値は、検知センサに付着した塵埃の検知値であり、シート積載手段にシートが積載されていないものと判断するようになっている。
【００１８】
このため、本発明のシート積載装置は、シート有り判定閾値を、検知センサに塵埃が付着したときの検知値よりも大きく設定して、検知センサに付着した塵埃をカールしたシートであると誤判断することを少なくし、シートの積載判断精度を高めることができる。
【００１９】
本発明の画像読取装置は、シートの積載判断精度を高めたシート積載装置を備えているので、画像読取効率を向上させることができる。
【発明を実施するための最良の形態】
【００２０】
以下、本発明の実施形態のシート積載装置と、このシート積載装置を装置本体に備えた画像読取装置とを図に基づいて説明する。
【００２１】
なお、シート積載装置は、シートを取り扱うシート取扱装置の装置本体に備えられて、シート取扱装置の装置本体に送り込まれるシートが積載されるようになっている。シート取扱装置には、シートとしての原稿の画像を読み取る画像読取装置、シートに画像を形成する画像形成装置、シートに処理を施すシート処理装置等がある。したがって、本実施形態のシート積載装置は、画像読取装置の装置本体にのみ装備されるものではない。
【００２２】
図１は、本発明の実施形態のシート積載装置を装置本体に装備した画像読取装置の原稿搬送方向に沿った断面図である。本実施形態の画像読取装置１００は、原稿スルー型である。
【００２３】
画像読取装置１００の原稿積載トレイ３０は、ユーザによってシートとしての原稿Ｄが１枚、あるいは束状にセットされるようになっている。原稿積載トレイ３０は、原稿台２を有しており、大きいサイズの原稿であっても積載されるようになっている。原稿台２は、回動支点２ａを中心にして原稿搬送方向の下流側端部が上下動できるようになっている。回転カム１０は、原稿台モータ３によって回転して、原稿台２を上下動させるようになっている。
【００２４】
原稿台２は、図２に示すように、中央に原稿検知センサカバー３０２が取り付けられている。原稿検知センサカバー３０２には、原稿検知センサ３０１が装着されて密着されている。なお、図２では分かりやすいように、原稿検知センサ３０１を原稿検知センサカバー３０２から離した位置に図示してある。原稿検知センサ３０１は反射型光センサであり、原稿に光を投射する発光素子３０１ａと、原稿からの反射光を受光する受光素子３０１ｂとを有している。
【００２５】
図１に示すピックアップローラ４は、原稿積載トレイ３０に積載された原稿Ｄの束のうち、最上位の原稿から画像読取装置１００の装置本体１０１の内部に送り込むようになっている。電磁ソレノイド５は、最上位の原稿に対してピックアップローラ４を接離させるようになっている。
【００２６】
受入部としての送りローラ７と分離ローラ９は、回転体対を構成して、ピックアップローラ４によって供給された原稿を、さらに装置本体１０１の内部へ搬送するようになっている。なお、図１において送りローラ７は、切り欠いた形状にしてあるが、これは、他の構造を分かりやすくするためであって、実際は真円な形状になっている。
【００２７】
分離ローラ９は、原稿を搬送方向に対して逆方向に搬送するように不図示のクラッチを介して回転力を加えられているので、送られてきた原稿が重なっているとき、下側の原稿を逆送して、原稿の重送を防止するようになっている。分離ローラ９は、原稿が１枚だけ送られてきたとき、クラッチの作用によって、その１枚の原稿に追従して回転するようになっている。
【００２８】
レジスト前センサ１１は、原稿の通過を検知するようになっている。レジストローラ１２とレジスト従動ローラ１３は、回転体対を構成して、原稿の斜行を修正し、かつ画像読取手段としての読取ユニット２３，２４へ原稿を送り込むタイミングを図るようになっている。レジスト電磁クラッチ１６は、レジストローラ１２の駆動をＯＮ、ＯＦＦするようになっている。レジスト後センサ１７は、原稿の通過を検知するようになっている。
【００２９】
搬送ローラ対１９，２０，２１，２２は、原稿を搬送するようになっている。メインモータ１８は、不図示のギヤもしくはベルトによって、その回転力をピックアップローラ４、送りローラ７、レジストローラ１２、搬送ローラ対１９，２０，２１，２２に伝えられるようになっている。
【００３０】
画像読取手段としての読取ユニット２３，２４は、搬送されてくる原稿の表面と裏面の画像情報をそれぞれ読み取るようになっている。原稿排出センサ２５は、送られてきた原稿が装置本体１０１から排出されるのを検知するようになっている。除電部２６は、原稿に帯電した静電気を除去するようになっている。積載部２７は、搬送路Ｈから排出された原稿が積載されるようになっている。
【００３１】
図３は、本実施形態の画像読取装置１００の制御ブロック図を示している。ＣＰＵ２０７は、原稿スルー型の画像読取装置１００全体の動作を制御するようになっている。読取ユニット２３，２４は、ＣＰＵ２０７からの指示により原稿の画像読取動作を行うようになっている。メインモータ制御部２０５は、メインモータ１８を制御するようになっている。
【００３２】
画像処理部２０８は、読取ユニット２３，２４で読み取られた画像情報に、Ａ／Ｄ変換処理、シェーディング処理等の画像処理を施すようになっている。
【００３３】
バッファメモリ２０９は、画像処理が行われた画像データを一時蓄えておくようになっている。通信部２１０は、バッファメモリ２０９から画像データを読み出し、ホストコンピュータ２１１に転送するようになっている。
【００３４】
ホストコンピュータ２１１は、本実施形態の原稿スルー型の画像読取装置１００に接続してあり、画像読取装置１００に画像読取命令等を指示するようになっている。また、ホストコンピュータ２１１は、画像読取装置１００で読み取った画像データを記憶するようになっている。
【００３５】
原稿検知センサ３０１の発光素子３０１ａ（図２参照）は、ＣＰＵ２０７により不図示の駆動部によって点滅するようになっている。原稿検知センサ３０１は、発光素子３０１ａを点滅することによって、点灯時の受光素子３０１ｂの出力レベルと、消灯時の受光素子３０１ｂの出力レベルとを比べて、その差分により原稿の有無を判断するため、外光の影響を受けないようなっている。点灯時の受光素子３０１ｂの出力レベルと、消灯時の受光素子３０１ｂの出力レベルとの差分をデジタルデータの差分とも言う。
【００３６】
すなわち、通常、反射型光センサは、外光などの変化によっても受光素子３０１ｂの出力レベルが変わるため、原稿積載トレイ３０に原稿が積載されて出力レベルが変わるのと、外光が変化して出力レベルが変わるのとでは、区別がつきにくい。
【００３７】
そこで、本実施形態のシート積載装置は、原稿の有無を検知する前に、発光素子３０１ａを点滅させて、発光素子の点灯時と消灯時における受光素子３０１ｂの出力レベルを原稿有無判定部２１６（図３参照）で比べて、外光による影響を調べるようになっている。
【００３８】
つまり、原稿積載トレイ３０に原稿が無いときには、発光素子３０１ａの光は原稿によって反射しないため、受光素子３０１ｂは外光のみを受光することになり、発光素子３０１ａの点滅にかかわらず出力レベルはほぼ同じになる。逆に、原稿積載トレイ３０に原稿が積載されたとき、発光素子３０１ａが点灯しているときには、受光素子３０１ｂは原稿からの反射光と原稿を透過してきた外光とを受光することになる。そして、発光素子３０１ａの消灯時に、受光素子３０１ｂは、原稿を透過してきた外光のみを受光することになる。よって、発光素子を点灯したときの受光素子の出力レベルと、消灯したときの受光素子の出力レベルとの差分(検知値）が、外光の影響を除去した出力レベルになる。この出力レベルは、原稿有無判定部が原稿積載トレイ３０に原稿が積載されているか否かを判断する値になる。
【００３９】
なお、デジタルデータの差分が少ない場合、すなわち、外光が少ない場合、点灯時の受光素子３０１ｂの出力レベル(検知値）のみで、原稿の検知を行ってもよい。
【００４０】
受光素子３０１ｂの出力信号は、Ａ／Ｄ変換部２１５でデジタルデータに変換される。積載判断手段としての原稿有無判定部２１６は、原稿検知センサ３０１のデジタルデータの差分と、シート有り判定閾値としての原稿有り判定閾値及びシート無し判定閾値としての原稿無し判定閾値との比較から、原稿の有無の判断ができるようになっている。Ａ／Ｄ変換されたデジタルデータはＣＰＵ２０７にも入力されている。ＣＰＵ２０７は、この値を用いて、光量調整部２０２において、発光素子３０１ａの光量を調整するようになっている。原稿有り判定閾値と原稿無し判定閾値は、ＣＰＵ２０７内の記憶手段としてのＲＡＭ２１７に記憶されている。また、ＲＯＭ２１８には、図５乃至図７に示すフローチャートに対応する制御手順や、画像読取装置１００全体の制御手順等が記憶されている。
【００４１】
図４（ａ）（ｂ）は、原稿積載トレイ３０にカールした原稿Ｄが積載されたところを示した図である。図４（ｃ）は、平らな原稿が積載されたところを示した図である。原稿Ｄは、先端が原稿台２から離れる方向にカールしている。原稿台２は、図１に示す回転カム１０によって上下動するようになっている。原稿台２には、原稿検知センサカバー３０２を有する原稿検知センサ３０１が取り付けられている。
【００４２】
以上の説明において、シート積載装置３００は、上下動部としての原稿台２を有したシート積載手段としての原稿積載トレイ３０と、ピックアップローラ４と、駆動手段としての原稿台モータ３及び回転カム１０とを備えている。さらに、光センサとしての原稿検知センサ３０１と、記憶手段としてのＲＡＭ２１７と、積載判断手段としての原稿有無判定部２１６と、光量設定手段としてのＣＰＵ２０７及び光量調整部２０２と、通過検知手段としてのレジスト前センサ１１等を備えている。シート積載装置３００は、画像読取装置１００の一部分を構成している。
【００４３】
ここで、原稿有り判定閾値と原稿無し判定閾値との意味を図８に基づいて説明しておく。なお、説明を理解しやすくするため、原稿検知センサ３０１は外光の影響を受けないものとする。
【００４４】
図８（ａ）に示すように、原稿Ｄは、カールしていないで平らなとき、原稿検知センサ３０１に略密着している。このときの、原稿検知センサ３０１の受光素子３０１ｂの受光量を最大受光量（Ｌｍａｘ）とし、出力レベルの値を仮に１０とする。
【００４５】
そして、図８（ｂ）のように、原稿Ｄの先端部がカールして、原稿検知センサ３０１から離れている場合、受光素子３０１ｂの受光量は最大受光量（Ｌｍａｘ）より少なくなる。このときの、受光素子３０１ｂの出力レベルの値を仮に５とし、原稿有無判定部２１６は、原稿積載トレイ３０に原稿が積載されているものと判断する。
【００４６】
しかし、図８（ｃ）に示すように、原稿積載トレイ３０に原稿が積載されていないが、受光素子３０１ｂに塵埃ＤＳが付着し、塵埃による反射光が受光素子３０１ｂに受光されて、受光素子３０１ｂの出力レベルが５になる場合がある。このような場合、原稿有無判定部２１６は、原稿積載トレイ３０に原稿が積載されているものと誤判断することになる。
【００４７】
そこで、原稿検知センサ３０１に塵埃が付着したときの原稿検知センサ３０１の出力レベルより大きい値を原稿有り判定閾値とする。この原稿有り判定閾値を仮に８とする。このようにすると、原稿有無判定部２１６は、受光素子３０１ｂの出力レベルが原稿有り判定閾値の８を超えている場合、原稿積載トレイ３０に原稿が積載されているものと判断し、受光素子３０１ｂの出力レベルが５の塵埃ＤＳを原稿と誤検知することがない。
【００４８】
ところが、原稿有り判定閾値を８にすると、図８（ｂ）において受光素子３０１ｂの出力レベルが５のカールした原稿が原稿積載トレイ３０積載されていても、原稿有無判定部２１６は、原稿積載トレイ３０に原稿が積載されていないものと誤判断することになる。
【００４９】
そこで、受光素子３０１ｂの出力レベルが原稿有り判定閾値以下（８以下）のとき、ＣＰＵ２０７は、原稿台モータ３を制御して回転カム１０を回転させ原稿台２を図８（ｄ）の実線の通常の位置(初期位置）から破線の所定位置まで上昇させる。すなわち、ＣＰＵ２０７は、原稿検知センサ３０１を上昇させる。
【００５０】
原稿台２が後述する所定位置まで、上昇回転する間に、受光素子３０１ｂの受光量が増加して出力レベルが原稿有り判定閾値である８を超えることがあると、原稿有無判定部２１６は、原稿台２に原稿が積載されているものと判断する。しかし、原稿台２が所定位置まで上昇回転しても、受光素子３０１ｂの出力レベルが原稿有り判定閾値である８を超えない場合（原稿有り判定閾値以下の場合）、原稿有無判定部２１６は、原稿台２に原稿が積載されていないものと判断する。したがって、受光素子３０１ｂの出力レベルは、原稿検知センサ３０１に付着した塵埃によるものであることになる。
【００５１】
このように、原稿有り判定閾値は、原稿検知センサに付着した塵埃を原稿と間違えて検知しないようにするために設定されており、原稿有無判定部２１６は、原稿有り判定閾値だけで、原稿積載トレイ３０に原稿が積載されているか否かの判断をすることができる。しかし、受光素子３０１ｂの出力レベルが原稿有り判定閾値以下の度に、ＣＰＵ２０７は、原稿台２を上昇回転させる制御をしなければならない。このため、シート積載装置３００は、原稿の検知動作に時間を要することになる。
【００５２】
そこで、原稿無し判定閾値を設定する。原稿無し判定閾値は、原稿台２に原稿が積載されていない状態において、発光素子３０１ａからの光が原稿台２の周囲の部材に反射して受光素子３０１ｂに反射光として検知されたときの出力レベルを超えた値である。例えば、受光素子３０１ｂの出力レベルは、仮に３．９であった場合、原稿無し判定閾値を４に設定される。原稿の積載有無を検知するとき、原稿有無判定部２１６は、受光素子３０１ｂの出力レベルが４未満のとき、原稿積載トレイ３０に原稿が積載されていないものと判断する。原稿無し判定閾値は、原稿有り判定閾値未満であることは、勿論である。
【００５３】
原稿無し判定閾値を設定することによって、原稿台２が図８（ｄ）の初期位置にいるときの受光素子３０１ｂの出力レベルが４未満のとき、シート積載装置３００は、原稿台２を上昇回転させることがない。そして、原稿有無判定部２１６が原稿台２に原稿が積載されていないものと判断する。しかし、原稿台２が図８（ｄ）の初期位置にいるときの受光素子３０１ｂの出力レベルが原稿有り判定閾値以下で、かつ原稿無し判定閾値以上（８以下４以上）のとき、例えば、５のとき、ＣＰＵ２０７は、原稿台２を上昇回転させる。原稿台２が所定位置まで上昇回転する間に、受光素子３０１ｂの出力レベルが原稿有り判定閾値を超えたとき、原稿有無判定部２１６は、原稿台２に原稿が積載されているものと判断する。もし、原稿台２が所定位置まで上昇回転しても、受光素子３０１ｂの出力レベルが原稿有り判定閾値以下のままであれば、原稿有無判定部２１６は、原稿台２に原稿が積載されていないものと判断する。また、受光素子３０１ｂの出力レベル５は、原稿検知センサ３０１に塵埃が付着していることによる、出力レベルである。
【００５４】
このように、原稿無し判定閾値を設定すると、原稿台２を受光素子３０１ｂの出力レベルが原稿有り判定閾値以下の度に、原稿台２を必ずしも上昇回転させる必要がなくなり、シート積載装置３００の原稿の検知動作に要する時間を短縮することができる。
【００５５】
図１乃至図３の構成図、図４、図８の動作説明用の図、図５乃至図７に示すフローチャートに基づいて、シート積載装置の動作を説明する。
【００５６】
ＣＰＵ２０７は、ホストコンピュータ２１１からスキャン開始命令が指示されると（Ｓ４０１）、原稿積載トレイ３０に原稿が積載されているか否かを原稿有無判定部２１６に確認させる（Ｓ４０２）。原稿有無判定部２１６は、デジタルデータの差分が原稿無し判定閾値未満のとき原稿無しと判断する（Ｓ４０２でＹＥＳ）。ＣＰＵ２０７は、原稿積載トレイ３０に原稿が積載されるまで待機するか、あるいは、ホストコンピュータ２１１を介して表示パネル３１０（図１参照）に「原稿無し」と表示させて、ユーザに原稿を積載するように促す。
【００５７】
ＣＰＵ２０７は、原稿有無判定部２１６によって、デジタルデータの差分が原稿無し判定閾値以上であり原稿無しと判断されなかった場合（Ｓ４０２でＮＯ）、原稿が有るか否かの判定を行う（Ｓ４０３）。そして、デジタルデータの差分が、原稿有り判定閾値を超えて原稿有りと判断された場合（Ｓ４０３でＹＥＳ）、画像読取装置１００は、原稿の搬送動作を開始し（Ｓ４０９）、原稿の画像を読み取る。しかし、上記デジタルデータの差分が、原稿無し判定閾値以上で、かつ原稿有り判定閾値以下で、原稿無しとも、有りとも判断されず、中途半端な状態の場合がある（Ｓ４０３でＮＯ）。このような場合、ＣＰＵ２０７は、原稿台モータ制御部２１２に後述する所定位置まで原稿台２が上昇するように原稿台モータ３を制御する。原稿台モータ３の回転によって、図４に示すように、原稿台２は符号Ａで示す初期位置から符号Ｂで示す所定位置へと、回転支点２ａを中心に上昇回転をする（Ｓ４０４）。
【００５８】
ところが、図４（ａ）（ｂ）に示すように、先端が縦方向（上下方向）にカールした原稿Ｄが原稿積載トレイ３０に積載されることがある。この場合、原稿Ｄの下面Ｄａが、原稿検知センサ３０１から離れている。離れた距離をＡａとする。図４（ａ）（ｂ）は原稿台２が初期位置Ａにいるときの図である。図４（ｃ）は原稿台２が所定位置Ｂに上昇回転したときの図である。
【００５９】
この状態では、原稿検知センサ３０１の発光素子３０１ａから原稿Ｄの下面Ｄａまで届く光が弱くなり、さらに原稿Ｄの下面Ｄａで反射して原稿検知センサ３０１の受光素子３０１ｂへの入射される反射光も弱くなる。このため、原稿検知センサ３０１からの出力信号は微弱なものとなり、発光素子点滅時のデジタルデータの差分が少なくなる。
【００６０】
原稿台２が所定位置Ｂに上昇回動すると（Ｓ４０４）、図４（ｃ）に示すように、原稿検知センサ３０１と原稿Ｄの下面Ｄａとの距離Ｂａは、短くなる（Ａａ＞Ｂａ）。この結果、原稿検知センサ３０１の発光素子３０１ａから原稿Ｄの下面Ｄａまで届く光が強くなり、さらに、原稿Ｄの下面Ｄａから原稿検知センサ３０１の受光素子３０１ｂに入射する反射光も強くなる。このため、発光素子３０１ａの点灯時と消灯時における原稿検知センサ３０１の出力信号の差（デジタルデータの差分）も大きくなる。この状態で、再度、原稿有無判定部２１６は原稿積載トレイ３０に原稿が積載されているかどうかの判断をする（Ｓ４０５）。
【００６１】
ここで、原稿台２が、所定位置Ｂに到達する以前に、上記デジタルデータの差分が原稿有り判定閾値を超えた場合、原稿有無判定部２１６は、原稿積載トレイ３０に原稿が積載されていると判断する（Ｓ４０５でＹＥＳ）。すると、シート積載装置３００は、原稿の搬送動作を開始して（Ｓ４０９）、原稿の画像を読み取る。
【００６２】
しかし、上記デジタルデータの差分が原稿有り判定閾値以下のままの場合、原稿有無判定部２１６は、原稿積載トレイ３０に原稿が積載されていないと判断する（Ｓ４０５でＮＯ）。そこで、ＣＰＵ２０７は、原稿台２をさらに少しずつ上昇回転させて（Ｓ４０６）、その都度、原稿有無の判定を行う。
【００６３】
原稿台２が所定位置まで上昇回転しても（Ｓ４０６でＹＥＳ）、上記デジタルデータの差分が原稿有り判定閾値を以下のままであった場合、原稿有無判定部２１６は、原稿無しと判断する（Ｓ４０７）。ＣＰＵ２０７は、原稿台２を下降回転させて（Ｓ４０８）、原稿積載トレイ３０に原稿が積載されるまで待機するか、もしくは、ホストコンピュータを介して原稿なしと表示パネル３１０に表示させて、ユーザに原稿を積載するように促す。
【００６４】
なお、原稿積載トレイ３０に原稿が積載されていなければ、原稿検知センサ３０１への入射光は外光と、原稿検知センサカバー３０２に反射した反射光等のみであるので、原稿台２が上昇しても原稿検知センサ３０１の受光素子３０１ｂへの入射光は変化しない。このため、原稿検知センサ３０１の出力信号が一定であり、デジタルデータの差分も一定である。よって、原稿有無判定部２１６は、デジタルデータの差分が一定であることから原稿積載トレイ３０に原稿が積載されていないと判断することもできる。
【００６５】
以上の説明において、原稿台の所定位置とは、原稿台２の上面が送りローラ７と分離ローラ９（図１参照）とのニップと略同じ高さになる位置である。また、原稿台の所定位置は、原稿台２がピックアップローラ４に接する位置であってもよい。さらに、原稿台２が上昇することによって、原稿検知センサ３０１の上部に発光素子３０１ａの光を反射する部材がある場合は、さらに下に設定してもよい。
【００６６】
以上説明したように、本実施形態のシート積載装置３００は、平らな原稿は勿論のこと、上方にカールした原稿であっても原稿が積載されていると判断することができる。しかも、原稿検知センサに付着した塵埃をカールしたシートであると誤判断することも少なくなる。したがって、本実施形態のシート積載装置３００は、シートの積載判断精度を高めることができる。
【００６７】
図６は、原稿有り判定閾値と、原稿無し閾値とを変更する動作説明用のフローチャートである。なお、図６における処理Ｓ６０１乃至Ｓ６０８は、図５における処理Ｓ４０１乃至Ｓ４０８と同様であるので説明を省略する。
【００６８】
処理Ｓ６０５において、原稿台２が上昇して原稿積載トレイ３０に原稿が有るものと原稿有無判定部２１６が判断した場合、ユーザは、原稿有り判定閾値に下げてもよい。この場合、ユーザは、原稿台２を初期位置のままにして上昇させていないときの原稿検知センサの出力レベルでも、原稿有りと判断できる原稿有り判定閾値に下げてもよい。
【００６９】
原稿有り判定閾値の設定変更（Ｓ６０９）は、ユーザによって次のようにして行われる。先ず、原稿台２を上昇させる前に原稿積載トレイ３０に最大カールの原稿を置いて、発光素子３０１ａの点灯時と消灯時における受光素子３０１ｂのデジタルデータの差分をＲＡＭ２１７に記憶させる。そして、その記憶した値よりも小さい値を原稿有り判定閾値として原稿有無判定部２１６に設定する。なお、原稿台を上昇させて原稿の有無を検知する動作を行うことなく、最初から原稿有り判定閾値を小さく設定すると、原稿有り判定閾値を、原稿検知センサ３０１に付着している塵埃を原稿と誤検知する値に設定するおそれがある。しかし、上記のように、原稿台２を上昇させて原稿の有無を検知する動作を行ってから、原稿有り判定閾値を変更すると、塵埃を原稿と誤検知する値に設定するおそれがなくなる。このようにして、原稿有り判定閾値を下げられるのは、次に同じ様にカールした原稿が原稿積載トレイ３０に続いて積載されている場合、あるいは積載される場合である。このため、次にカール量が不明のシートが原稿積載トレイ３０に積載される場合には、原稿有り判定閾値を初期値に戻した方が好ましい場合がある。
【００７０】
したがって、シート積載装置３００は、同じ様にカールした原稿が原稿積載トレイ３０に続いて積載されている場合、あるいは積載される場合には、原稿有り判定閾値を下げることによって、検知の度に原稿台を徐々に上昇させる必要が無くなる。このため、シート積載装置３００は、原稿の検知を速やかに行うことができる。
【００７１】
なお、原稿有り判定閾値を下げることによって、原稿有り判定閾値が原稿無し判定閾値に接近するため、原稿無し判定閾値も同時に下げてもよい。
【００７２】
また、原稿有り判定閾値を下げ過ぎて、原稿検知センサ３０１に新たに塵埃が付着して、原稿積載トレイ３０に原稿が積載されていないのに、原稿有りと誤検知するおそれがある場合には、原稿有り判定閾値を初期の値に戻してもよいことは勿論である。
【００７３】
図６の処理Ｓ６０５において、原稿台２が上昇して原稿積載トレイ３０に原稿が積載されていないものと、原稿有無判定部２１６が判断した場合、ユーザは、原稿無し判定閾値を上げてもよい。この場合、ユーザは、原稿台２を上昇させていないときの原稿検知センサの出力レベルでも、原稿無しと判断できるように原稿無し判定閾値を上げてもよい（Ｓ６０７、Ｓ６０８、Ｓ６１５）。
【００７４】
原稿無し判定閾値の設定変更は、ユーザによって次のようにして行われる。先ず、原稿台２を上昇させる前に原稿積載トレイ３０に最大カールの原稿を置いて、発光素子３０１ａの点灯時と消灯時における受光素子３０１ｂのデジタルデータの差分をＲＡＭ２１７に記憶させる。そして、その記憶した値よりも大きい値を原稿無し判定閾値として原稿有無判定部２１６に設定する。なお、原稿台を上昇させて原稿の有無を検知する動作を行うことなく、最初から閾値を大きく設定すると、原稿無し判定閾値を、カールの大きい原稿が積載されていても原稿無しと誤検知する値に設定するおそれがある。しかし、上記のように、原稿台２を上昇させて原稿の有無を検知する動作を行ってから、原稿無し判定閾値を変更すると、カールの大きい原稿であっても、原稿無しと誤検知する値に設定するおそれがなくなる。このようにして、原稿無し判定閾値を上げられるのは、次に同じ様にカールした原稿が原稿積載トレイ３０に続いて積載されている場合、あるいは積載される場合である。このため、次にカール量が不明のシートが原稿積載トレイ３０に積載される場合には原稿無し判定閾値を初期値に戻した方が好ましい場合がある。
【００７５】
したがって、シート積載装置３００は、同じ様にカールした原稿が原稿積載トレイ３０に続いて積載されている場合、あるいは積載される場合には、原稿無し判定閾値を上げることによって、検知の度に原稿台を徐々に上昇させる必要が無くなる。このため、シート積載装置３００は、原稿の検知を速やかに行うことができる。
【００７６】
なお、原稿無し判定閾値を上げることによって、原稿無し判定閾値が原稿有り判定閾値に接近するため、原稿有り判定閾値も同時に上げてもよい。
【００７７】
また、原稿無し判定閾値を上げ過ぎて、大きくカールしている原稿を検知できなくなるおそれがある場合には、原稿無し判定閾値を初期の値に戻してもよいことは勿論である。
【００７８】
本実施形態のシート積載装置３００は、原稿有無判定部２１６によって、原稿積載トレイ３０に原稿が積載されていると判断されると、電磁ソレノイド５と原稿台モータ３を作動させて原稿台２とピックアップローラ４とで原稿を挟持する。そして、ピックアップローラ４は、メインモータ１８によって回転して、原稿を送りローラ７と分離ローラ９とのニップに送り込む。送りローラ７と分離ローラ９は原稿を搬送し、搬送路内にあるレジスト前センサ１１は原稿を検知する（Ｓ６１１）。通過検知手段としてのレジスト前センサ１１が作動すると、レジストローラ１２とレジスト従動ローラ１３等が原稿の搬送を継続する（Ｓ６１２）。
【００７９】
逆に、所定時間経過しても、レジスト前センサ１１が原稿を検知しない場合（Ｓ６１１でＮＯ）、ＣＰＵ２０７は、原稿検知センサ３０１と原稿有無判定部２１６とが原稿が無いのに有ると誤判断したと判断して、表示パネル３１０に原稿無しの表示をする。また、ＣＰＵ２０７は、原稿有無判定部２１６において原稿有り判定閾値を上げるか、もしくは、原稿有り判定閾値が前述したように変更されていた場合は、原稿有り判定閾値を初期閾値に戻す（Ｓ６１４）。これによって、次回から原稿有無判定部２１６が誤検知することが無くなる。さらに、この場合、原稿検知センサ３０１に付着した塵埃の大きさが想定していた大きさより大きいことによって原稿検知センサ３０１の出力レベルが原稿無し判定閾値以上になったものと考えられる。このような場合、塵埃を除去するか、原稿無し判定閾値も上げて（Ｓ６１５）、その塵埃が原稿検知センサ３０１に付着していても、原稿無しと判断できるようにする。
【００８０】
このように、レジスト前センサ１１を設けることによって、原稿有無判定部２１６が、原稿が無いのに有ると誤判断したことを検知することができる。さらに、原稿検知センサ３０１に付着した塵埃の大きさが想定していた大きさより大きいことによって原稿が無いのに有ると誤判断したことも検知することもできる。
【００８１】
したがって、シート積載装置３００は、レジスト前センサ１１を備えることによって、原稿の積載判断精度を高めることができる。
【００８２】
以上の説明では、原稿台２を不必要に上昇させることなく原稿の積載判断能率を向上させるのに、原稿有り判定閾値と原稿無し判定閾値との少なくとも一方の閾値を変更するようになっているが、発光素子３０１ａの発光量を調節しても同様な効果が得られる。
【００８３】
図７は、原稿検知センサ３０１の発光素子３０１ａの発光量を調節して、原稿有り判定閾値と原稿無し判定閾値との少なくとも一方の閾値を変更する場合の動作説明用のフローチャートである。
【００８４】
図２に示す原稿検知センサ３０１の発光素子３０１ａの発光量は、図３に示すＣＰＵ２０７が光量調整部２０２を制御して行われる。
【００８５】
原稿有無判定部２１６が、原稿無し判定閾値によって原稿無しと判断もせず（Ｓ７０２）、原稿有り判定閾値によって原稿有りとも判断しなかった場合（Ｓ７０３）、ＣＰＵ２０７は、原稿台モータ３を制御して、原稿台２を徐々に上昇させる（Ｓ７０４）。
【００８６】
原稿台モータ３が原稿台２を所定の位置まで徐々に上昇させている途中において、原稿有無判定部２１６が原稿有りと判断した場合（Ｓ７０５でＹＥＳ）、ユーザは、原稿有り判定閾値が高すぎたと判断して、発光素子３０１ａの光量を上げる（Ｓ７０９）。光量の設定変更は、ユーザによって次のようにして行われる。先ず、原稿台２を上昇させる前に原稿積載トレイ３０に最大カールの原稿を置いて、発光素子３０１ａの点灯時と消灯時における受光素子３０１ｂのデジタルデータの差分をＲＡＭ２１７に記憶させる。そして、その記憶した値と原稿有り判定閾値との差分によって、光量を上げる度合いを決定し、光量調整部２０２において光量を上げる（Ｓ７０９）。
【００８７】
このように光量を調節すると、原稿が原稿台２に密着していなくても、光量が上がった分、図４の原稿Ｄの下面Ｄａに光が届き、さらに原稿Ｄの下面Ｄａに反射されて受光素子３０１ｂに入る反射光も強くなる。この結果、シート積載装置３００は、原稿台２に密着していないカール原稿であっても原稿積載トレイ３０に原稿が積載されていることを正しく判断することができる。
【００８８】
また、図７の処理Ｓ７０４において、原稿台モータ３が原稿台２を所定の位置まで上昇させても（Ｓ７０６でＹＥＳ）、原稿有無判定部２１６が原稿無しと判断した場合（Ｓ７０７）、ユーザは、原稿有り判定閾値が高すぎたと判断する。そして、ユーザは、原稿台２を下降させて（Ｓ７０８）、発光素子３０１ａの光量を下げる（Ｓ７１４）。
【００８９】
光量調整部２０２による光量の設定変更は、発光素子３０１ａに流す電流値の制御、光透過率を制御する液晶等の素子の利用等、さまざまな方法によって行える。また、発光素子３０１ａや反射形光センサ内に組み込んである不図示の光量調整機能によって行ってもよい。さらに、前述したＡ／Ｄ変換を利用した光量のフィードバック制御で光量を設定してもよい。また、光量調整部２０２の光量値設定段数を２段または多段として、光量の増加または減少の判断がされるたびに、現在の光量から１段階ずつまたは数段階ずつ光量を増減して設定してもよい。
【００９０】
実際の回路では、センサ出力電流の増加によってＡ／Ｄ変換器に入力される電圧が減少するような構成も可能である。このような場合閾値の大小関係が逆転する。しかし大小関係を逆転させたうえで本発明を適用することは可能である。
【００９１】
Ａ／Ｄ変換部はＣＰＵに内蔵したものでも差し支えない。また原稿有無判定部はＣＰＵのプログラムで判定することにより実現してもよい。
【００９２】
光量を下げる度合いの決め方については後述する。このような構成とすることによって、ごみ等の影響で反射光が増えた場合でも、光量が下がった分、受光素子３０１ｂに入る光も弱くなるので、原稿のないことを正しく判定できる。
【００９３】
本実施形態のシート積載装置３００は、原稿有無判定部２１６によって、原稿積載トレイ３０に原稿が積載されていると検知されると（Ｓ７０３）、電磁ソレノイド５と原稿台モータ３を作動させて原稿台２とピックアップローラ４とで原稿を挟持する。そして、ピックアップローラ４は、メインモータ１８によって回転して、原稿を送りローラ７と分離ローラ９とのニップに送り込む。送りローラ７と分離ローラ９は原稿を搬送し、搬送路内にあるレジスト前センサ１１は原稿を検知する（Ｓ７１１）。通過検知手段としてのレジスト前センサ１１が作動すると、レジストローラ１２とレジスト従動ローラ１３等が原稿の搬送を継続する（Ｓ７１２）。
【００９４】
逆に、所定時間経過しても、レジスト前センサ１１が原稿を検知しない場合（Ｓ７１１でＮＯ）、ＣＰＵ２０７は、原稿検知センサ３０１と原稿有無判定部２１６とが原稿が無いのに有ると誤判断したと判断して、表示パネル３１０に原稿無しの表示をする。
【００９５】
また、この場合、原稿検知センサ３０１に付着した塵埃の大きさが想定していた大きさより大きいことによって原稿検知センサ３０１の出力レベルが原稿無し判定閾値以上になったものと考えられる。このような場合、塵埃を除去するか、発光素子３０１ａの光量を下げて（Ｓ７１４）、その塵埃が原稿検知センサ３０１に付着していても、原稿無しと判断できるようにする。
【００９６】
発光素子３０１ａの光量を下げる度合いは、原稿台２を初期位置に戻して、原稿積載トレイ３０に原稿を積載しないで、発光素子を点灯、消灯した受光素子出力のデジタルデータの差分が原稿無し判定閾値を超えず、原稿が無いと判定される値にすればよい。
【００９７】
このように、図７のフローチャートに示す発光素子の光量を調節しても、図６のフローチャートに示す閾値を変更する場合と同様の効果が得られる。
【００９８】
閾値の変更量の決め方としては前述したような方法の他、閾値の設定段数を２段または多段とし、閾値の変更の要求があるたびに１段階ずつ、または数段階ずつ増減するようにしてもよい。
【図面の簡単な説明】
【００９９】
【図１】本発明の実施形態における画像読取装置の原稿搬送方向に沿った断面図である。
【図２】本発明の実施形態におけるシート積載装置の原稿台に原稿検知センサを設けられる状態を示した図である。
【図３】本実施形態の画像読取装置の制御ブロック図である。
【図４】原稿積載トレイにカールした原稿Ｄが積載されたところを示した図である。（ａ）は、カールした原稿が積載された原稿積載トレイの全体図である。（ｂ）は、原稿積載トレイにおける原稿台の部分拡大図である。（ｃ）は、平らな原稿が原稿積載トレイに積載されたときの原稿台の部分拡大図である。
【図５】本実施形態のシート積載装置における原稿台の動作説明用のフローチャートである。
【図６】本実施形態のシート積載装置において、原稿有り判定閾値と原稿無し閾値とを設定変更する場合の動作説明用のフローチャートである。
【図７】本実施形態のシート積載装置において、原稿検知センサの発光素子の発光量を設定変更する場合の動作説明用のフローチャートである。
【図８】原稿有り判定閾値と原稿無し判定閾値との意味を説明するための図である。
【符号の説明】
【０１００】
Ａ      原稿台の通常位置
Ｂ      原稿台の所定の位置
Ａａ    原稿検知センサとカールした原稿の下面との距離
Ｂａ    原稿検知センサとカールした原稿の下面との距離
Ｄ      先端が縦方向にカールした原稿（シート）
Ｄａ    原稿の下面
ＤＳ      塵埃
Ｈ      搬送路
２      原稿台（上下動部）
２ａ    回動支点
３      原稿台モータ（駆動手段）
７      送りローラ（受入部）
９      分離ローラ（受入部）
１０      回転カム（駆動手段）
１１      レジスト前センサ（通過検知手段）
２３      読取ユニット（画像読取手段）
２４      読取ユニット（画像読取手段）
３０      原稿積載トレイ（シート積載手段）
１００      画像読取装置
１０１      画像読取装置本体
２３，２４      読取ユニット（画像読取手段）
２０２      光量調整部（光量設定手段）
２０７      ＣＰＵ（光量設定手段）
２０８      画像処理部
２１６      原稿有無判定部（積載判断手段）
２１７      ＲＡＭ（記憶手段）
２１８      ＲＯＭ
３００      シート積載装置
３０１      原稿検知センサ（光センサ）
３０１ａ    発光素子
３０１ｂ    受光素子
３１０      表示パネル
【図１】
2008056446.tif 000003
【図２】
2008056446.tif 000004
【図３】
2008056446.tif 000005
【図４】
2008056446.tif 000006
【図５】
2008056446.tif 000007
【図６】
2008056446.tif 000008
【図７】
2008056446.tif 000009
【図８】
2008056446.tif 000010